【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
前面が開口した箱形形状に構成された本体枠と、該本体枠に開閉可能に軸着された前面枠と、を備え
該本体枠の内部には、
複数の図柄が付された複数のリールを備えるリール装置と、
コインの貯留および払い出しを行う払出装置と、
前記払出装置からオーバーフローしたコインを貯留する貯留箱と、
を設け、
前記前面枠に設けたリール表示部にて複数の図柄が移動する可変表示遊技を行い、該可変表示遊技の結果、前記リール表示部にて停止表示された図柄が、予め設定された有効な表示ライン上において特定表示結果となると特別遊技状態を発生して所定の遊技価値を付与可能な遊技機において、
前記払出装置は、
コインを貯留するための払出貯留部と、
該払出貯留部からオーバーフローしたコインを前記貯留箱内に流下案内するオーバーフロー樋と、
を有し、
前記貯留箱は、前記オーバーフロー樋により流下案内されたコインを貯留するために上方が開口した箱形形状に構成すると共に、該オーバーフロー樋により流下案内されて落下するコインの落下勢を減衰させる落下勢減衰面を内部に有し、
前記貯留箱の手前側の外側部分には、下方が開口した凹室状に形成されて当該貯留箱を引き出し又は押し込む際に把持するための把持部を設け、
前記貯留箱の内面のうち、前記把持部の上面の裏側部分を奥側に向けて下り傾斜するように形成して前記落下面勢減衰面を構成し、
前記貯留箱の底面には、開口可能な貯留箱側開口可能部を設ける一方で、前記本体枠の底面には、当該本体枠に前記貯留箱を配置した際に前記貯留箱側開口可能部と対応する位置に、開口可能な本体枠側開口可能部を設け、
前記貯留箱の底面のうち、前記貯留箱側開口可能部を除いた面を該貯留箱側開口部に向けて下り傾斜させるとともに、互いに向き合うように傾斜した底面の下端を不均一にしたことを特徴とする遊技機。
【手続補正２】
【補正対象書類名】明細書
【補正対象項目名】０００１
【補正方法】変更
【補正の内容】
【０００１】
【発明の属する技術分野】
本発明は、払出装置のオーバーフロー樋を介して落下したコインを受け容れて貯留するために上方が開口した箱形形状に構成された貯留箱を備える遊技機に関する。


【手続補正３】
【補正対象書類名】明細書
【補正対象項目名】０００４
【補正方法】変更
【補正の内容】
【０００４】
この発明は、上記のような問題点を解決するためになされたもので、オーバーフロー樋を介して落下するコインにより貯留箱の底面に与える衝撃を低減でき、貯留箱内に大量のコインが流入した場合であっても、コインが貯留箱の底面で滞留しない遊技機を提供することを目的とする。


【手続補正４】
【補正対象書類名】明細書
【補正対象項目名】０００５
【補正方法】変更
【補正の内容】
【０００５】
【課題を解決するための手段】
上記課題を解決するため、
請求項１記載の発明は、前面が開口した箱形形状に構成された本体枠と、該本体枠に開閉可能に軸着された前面枠と、を備え
該本体枠の内部には、
複数の図柄が付された複数のリールを備えるリール装置と、
コインの貯留および払い出しを行う払出装置と、
前記払出装置からオーバーフローしたコインを貯留する貯留箱と、
を設け、
前記前面枠に設けたリール表示部にて複数の図柄が移動する可変表示遊技を行い、該可変表示遊技の結果、前記リール表示部にて停止表示された図柄が、予め設定された有効な表示ライン上において特定表示結果となると特別遊技状態を発生して所定の遊技価値を付与可能な遊技機において、
前記払出装置は、
コインを貯留するための払出貯留部と、
該払出貯留部からオーバーフローしたコインを前記貯留箱内に流下案内するオーバーフロー樋と、
を有し、
前記貯留箱は、前記オーバーフロー樋により流下案内されたコインを貯留するために上方が開口した箱形形状に構成すると共に、該オーバーフロー樋により流下案内されて落下するコインの落下勢を減衰させる落下勢減衰面を内部に有し、
前記貯留箱の手前側の外側部分には、下方が開口した凹室状に形成されて当該貯留箱を引き出し又は押し込む際に把持するための把持部を設け、
前記貯留箱の内面のうち、前記把持部の上面の裏側部分を奥側に向けて下り傾斜するように形成して前記落下面勢減衰面を構成し、
前記貯留箱の底面には、開口可能な貯留箱側開口可能部を設ける一方で、前記本体枠の底面には、当該本体枠に前記貯留箱を配置した際に前記貯留箱側開口可能部と対応する位置に、開口可能な本体枠側開口可能部を設け、
前記貯留箱の底面のうち、前記貯留箱側開口可能部を除いた面を該貯留箱側開口部に向けて下り傾斜させるとともに、互いに向き合うように傾斜した底面の下端を不均一にしたことを特徴としている。


【手続補正５】
【補正対象書類名】明細書
【補正対象項目名】０００６
【補正方法】変更
【補正の内容】
【０００６】
ここで、開口可能部（本体枠側開口可能部、貯留箱側開口可能部）とは、開口しない状態と、開口した状態を選択できる部分である。
なお、開口可能部は、これに限らず、例えば、開口可能部が、底面に形成された開口部を塞ぐようにして該底面に（例えば、止着部材などにより）着脱自在に取付けられ、開口可能部を底面から取り外すことで開口可能部を開口できる構成としてもよい。
【手続補正６】
【補正対象書類名】明細書
【補正対象項目名】０００７
【補正方法】変更
【補正の内容】
【０００７】
この請求項１記載の発明によれば、オーバーフロー樋を介して貯留箱内に落下するコインが直接貯留箱の底面に落下せず、先ず、落下勢減衰面に当接して該落下勢減衰面により落下勢を減衰された後に貯留箱の底面に落下するので、コインが貯留箱底面に与える衝撃が少なくて済む。よって、貯留箱が破損する可能性を低減でき、貯留箱は、長期に亘っての使用に耐えうる。
【手続補正７】
【補正対象書類名】明細書
【補正対象項目名】０００８
【補正方法】変更
【補正の内容】
【０００８】
また、貯留箱の手前側には、下方が開口した凹室状の把持部を備えているので、オーバーフローしたコインを回収する際には、把持部を掴んで貯留箱を手前側に引き出せばよく、この引き出し作業を行いやすい。貯留箱を押し込む際も同様に、押し込み作業が行いやすい。
【手続補正８】
【補正対象書類名】明細書
【補正対象項目名】０００９
【補正方法】変更
【補正の内容】
【０００９】
しかも、把持部は貯留箱の手前側であるので、把持部を掴んで貯留箱を引き出す際に、オーバーフロー樋からコインが落下したとしても、このコインが手に当たって貯留箱外にこぼれてしまうことがない。
加えて、この把持部と落下勢減衰面とが表裏の関係であるので、シンプルで合理的な構成であるといえる。
【手続補正９】
【補正対象書類名】明細書
【補正対象項目名】００１０
【補正方法】変更
【補正の内容】
【００１０】
また、貯留箱の底面には、開口可能な貯留箱側開口可能部を設ける一方で、本体枠の底面には、本体枠に貯留箱を配置した際に貯留箱側開口可能部の真下になる部分に、開口可能な本体枠側開口可能部を設けているので、貯留箱側開口可能部と本体枠側開口可能部とをともに開口することで、これら両開口可能部を介して、本体枠の下方にコインを流下させることができる。つまり、払出装置の払出貯留部からオーバーフローしてオーバーフロー樋から落下したコインを貯留箱内に貯留する手法と、該コインを本体枠の下方に流下させてこの流下したコインを島設備の所定箇所に搬送する手法とを、任意に選択できる。
【手続補正１０】
【補正対象書類名】明細書
【補正対象項目名】００１１
【補正方法】変更
【補正の内容】
【００１１】
また、貯留箱の底面が貯留箱側開口可能部に向けて下り傾斜し、互いに向き合う傾斜した底面の下端を不均一にしているので、貯留箱側開口可能部を開口した場合には、コインは、底面の傾斜に従って開口側に流下し、底面上を流下したコイン同士が鉢合わせしてしまうことが防止される。
【手続補正１１】
【補正対象書類名】明細書
【補正対象項目名】００１２
【補正方法】変更
【補正の内容】
【００１２】
従って、コインが開口部の下方に流下せずに貯留箱内に滞留してしまうといったことを防止できるとともに、コイン同士が鉢合わせした結果、貯留箱側開口可能部などにコインが詰まってしまうといったことを防止できる。
【手続補正１２】
【補正対象書類名】明細書
【補正対象項目名】００１３
【補正方法】変更
【補正の内容】
【００１３】
よって、貯留箱内にコインを大量に流入させた場合であっても、円滑に、貯留箱側開口可能部を介して貯留箱の下方にコインを流下させることができる。
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００５９
【補正方法】変更
【補正の内容】
【００５９】
【発明の効果】
請求項１記載の発明に係る遊技機によれば、落下勢減衰面を備えるので、コインが貯留箱底面に与える衝撃が少なくて済む。従って、貯留箱が破損する可能性を低減でき、貯留箱は、長期に亘っての使用に耐えうる。
【手続補正２０】
【補正対象書類名】明細書
【補正対象項目名】００６０
【補正方法】変更
【補正の内容】
【００６０】
また、貯留箱の手前側に把持部を備えるので、貯留箱を引き出したり押し込んだりし易い。
加えて、この把持部と落下勢減衰面とが表裏の関係であるので、シンプルで合理的な構成である。
【手続補正２１】
【補正対象書類名】明細書
【補正対象項目名】００６１
【補正方法】変更
【補正の内容】
【００６１】
また、コインを貯留箱内に貯留する手法と、コインを本体枠の下方に流下させて島設備の所定箇所に搬送する手法とを、任意に選択できる。


【手続補正２２】
【補正対象書類名】明細書
【補正対象項目名】００６２
【補正方法】変更
【補正の内容】
【００６２】
また、貯留箱側開口可能部を開口した場合には、コインは、底面の傾斜に従って開口側に流下し、底面上を流下したコイン同士が鉢合わせしてしまうことが防止され、コインが開口部の下方に流下せずに貯留箱内に滞留してしまうといったことを防止できるとともに、コイン同士が鉢合わせした結果、貯留箱側開口可能部などにコインが詰まってしまうといったことを防止できる。
よって、貯留箱内にコインを大量に流入させた場合であっても、円滑に、貯留箱側開口可能部を介して貯留箱の下方にコインを流下させることができる。
【手続補正２３】
【補正対象書類名】明細書
【補正対象項目名】００６３
【補正方法】削除
【補正の内容】
【手続補正２４】
【補正対象書類名】明細書
【補正対象項目名】００６４
【補正方法】削除
【補正の内容】